(57)【要約】【課題】本発明は、一つの照明装置の配線工事のみで多灯を実現することができる照明装置を提供することにある。【解決手段】本発明の照明装置１（装置本体部２）は、天井面に沿う方向に光ビームＢを照射する光ビーム照射部５を複数備えることを特徴とする。この照明装置１では、複数の光ビーム照射部５のそれぞれが天井面に沿う方向に光ビームＢを照射する。この光ビームＢは、この照明装置１が配置される居室の壁面に照射されてその被照射部自体が散乱光を生成して二次的な光源となる。その結果、この照明装置１は、複数の光ビームＢを照射することで多灯を実現する。【選択図】図２
2015207384.tif 000002
【特許請求の範囲】
【請求項１】
天井面に沿う方向に光ビームを照射する光ビーム照射部を複数備えることを特徴とする照明装置。
【請求項２】
請求項１に記載の照明装置において、
複数の前記光ビーム照射部を有し、天井面に取り付けられる装置本体部と、
前記装置本体部に対して離隔して天井面に取り付けられ、前記装置本体部から照射される前記光ビームを床面に向けて反射させる副照射部と、
を備えることを特徴とする照明装置。
【請求項３】
請求項１に記載の照明装置において、
前記光ビーム照射部は、前記光ビーム同士のなす照射角度を調節する光照射角調節機構を備えることを特徴とする照明装置。
【請求項４】
請求項３に記載の照明装置において、
前記光照射角調節機構は、前記光ビームを反射させる平面鏡を有して構成され、
前記平面鏡は、前記光ビームの反射角度が可変になっていることを特徴とする照明装置。
【発明の詳細な説明】
【技術分野】
【０００１】
本発明は、照明装置に関する。
【背景技術】
【０００２】
従来、室内用の照明装置としては、天井面に配置された光学部材であって、この光学部材から離隔した天井面（例えば、側壁面とのコーナ部）に配置される光源から照射される光を受けて発光するものが知られている（例えば、特許文献１参照）。この照明装置によれば、照明装置の本体部となる光学部材と、光源とが分離しているので、照明装置（本体部）の重量を軽減することができる。
【先行技術文献】
【特許文献】
【０００３】
【特許文献１】特開２０１１−１５４８２９号公報
【発明の概要】
【発明が解決しようとする課題】
【０００４】
ところで、このような照明装置が配置される居室スペースが大きくなると、複数の照明装置を天井面に配置することが考えられる。このような場合には、複数の照明装置の本体部となる光学部材に対して、複数の光源が必要となる。つまり、従来の照明装置（例えば、特許文献１参照）では、光学部材ごとに、これらから離隔した位置にそれぞれ光源が配置されることとなる。
したがって、従来の照明装置では、各光源に電力を供給するための配線工事が煩雑となる課題がある。
【０００５】
そこで本発明の課題は、一つの照明装置の配線工事のみで多灯を実現することができる照明装置を提供することにある。
【課題を解決するための手段】
【０００６】
前記課題を解決する本発明の照明装置は、天井面に沿う方向に光ビームを照射する光ビーム照射部を複数備えることを特徴とする。
この照明装置では、複数の光ビーム照射部のそれぞれが天井面に沿う方向に光ビームを照射する。この光ビームは、この照明装置が配置される居室の壁面に照射されてその被照射部自体が散乱光を生成して二次的な光源となる。その結果、この照明装置は、複数の光ビームを照射することで多灯を実現する。
また、この照明装置によれば、複数の光ビーム照射部が当該照明装置に纏まって配置されるので、複数の光ビーム照射部の各光源に電力を供給するための配線工事が一つの照明装置の配線工事のみで済む。
【０００７】
また、このような照明装置においては、複数の前記光ビーム照射部を有し、天井面に取り付けられる装置本体部と、前記装置本体部に対して離隔して天井面に取り付けられ、前記装置本体部から照射される前記光ビームを床面に向けて反射させる副照射部と、を備える構成とすることもできる。
【０００８】
また、このような照明装置においては、前記装置本体部は、前記光ビーム同士のなす照射角度を調節する光照射角調節機構を備える構成とすることもできる。
【０００９】
また、このような照明装置においては、前記光照射角調節機構は、前記光ビームを反射させる平面鏡を有して構成され、前記平面鏡は、前記光ビームの反射角度が可変になっている構成とすることもできる。
【発明の効果】
【００１０】
本発明によれば、一つの照明装置の配線工事のみで多灯を実現することができる照明装置を提供することができる。
【図面の簡単な説明】
【００１１】
【図１】本発明の実施形態に係る照明装置を配置した居室スペースの模式図である。
【図２】本発明の実施形態に係る照明装置の装置本体部の外観斜視図である。
【図３】本発明の実施形態に係る照明装置の装置本体部の分解斜視図である。
【図４】光ビーム照射部が配設された図３の装置本体部における放熱板の上面図である。
【図５】本発明の実施形態に係る照明装置における副照射部の斜視図であり、天井面に取り付けられた副照射部をその斜め下方から見上げた図である。
【図６】補助平面鏡を使用した光ビームの導光方法の一例を示す説明図である。
【図７】補助平面鏡を使用した光ビームの導光方法の他の例を示す説明図である。
【図８】副照射部を使用しない光ビームの導光方法を示す居室スペースの模式図である。
【図９】副照射部を使用しない光ビームの他の導光方法を示す説明図である。
【図１０】光ビーム照射部の第１変形例を示す斜視図であり、放熱板の上面を示す図である。
【図１１】光ビーム照射部の第２変形例を示す放熱板の上面図である。
【図１２】（ａ）は、光ビーム照射部の第３変形例を示す装置本体部の斜視図であり、（ｂ）は、この第３変形例の一の光ビーム照射部をその側面から見た様子を示す構成説明図である。
【発明を実施するための形態】
【００１２】
以下、本発明の実施形態に係る照明装置について説明する。
本実施形態に係る照明装置は天井面に取り付けるＬＥＤ照明装置（ＬＥＤシーリングライト）である。この照明装置は、例えば、居室の天井面に設けられる引掛ローゼットや引掛シーリング等の屋内配線器具に係合する取付アダプタを介することによって、外部電源に接続されるとともに天井面の所定位置に固定されて利用に供される。
【００１３】
図１は、本発明の実施形態に係る照明装置１を配置した居室スペースの模式図である。
図１に示すように、居室スペースには、複数の家具、装飾具等の設置物４ａ，４ｂ，４ｃ，４ｄが意匠性を配慮してそれぞれ配置されている。天井面Ｃには、本実施形態に係る照明装置１を構成する装置本体部２と、複数の副照射部３（本実施形態では４つ）とが取り付けられている。
【００１４】
この照明装置１は、装置本体部２から光ビームＢが天井面Ｃに沿うように照射され、各副照射部３は、この光ビームＢの光軸上に配置され、この光ビームＢを床面Ｆに向けて反射させるようになっている。
本実施形態では、装置本体部２が天井面Ｃの略中央に取り付けられ、各副照射部３は、設置物４ａ，４ｂ，４ｃ，４ｄ近傍を照らすように配置されており、各設置物４ａ，４ｂ，４ｃ，４ｄ近傍の上方で天井面Ｃに取り付けられている。
また、本実施形態での装置本体部２は、床面Ｆを照らす主照射部１ａをも備えている。
以下では、まず装置本体部２の全体構成について説明した後に、光ビームＢを照射する光ビーム照射部５（図２参照）と、副照射部３とについてこの順番で説明する。
図１中、符号Ｌは、副照射部３から照射される照射光である。
【００１５】
＜装置本体の全体構成＞
図２は、装置本体部２の外観斜視図である。なお、図２は、天井面Ｃ（図１参照）に取り付けられる装置本体部２の上面側の様子を示す外観斜視図である。
図２に示すように、装置本体部２は、例えば丸型のものであり、ベース部１０、カバー部材３０等を備えている。図２中、符号１４は、後記する放熱板であり、符号２１は、後記するセンサユニットである。また、符号１１ｃは、光ビームＢの照射窓であり、符号５は、後に詳しく説明する光ビーム照射部である。なお、図２では、紙面上側が天井側、紙面下側が床側である。
【００１６】
図３は、本実施形態に係る照明装置の分解斜視図である。
図３に示すように、ベース部１０は、ケーシング１１、アダプタ受け部１２、電源基板１３、放熱板１４、主照射部１ａ（図１参照）用の光源基板１５（以下、主照射部用光源基板１５という）、ＬＥＤカバー１６、反射シート１７、遮光部材１８、保安灯１９、センタカバー２０、センサユニット２１等で構成されている。
【００１７】
ケーシング１１は、鋼板（例えば、ＳＰＣＣ）を略円形状に加工成形した部品であり、凹面が床側を向くように略凹状に形成されている。また、ケーシング１１の周囲側面部には、後に詳しく説明する光ビーム照射部５（図２参照）の数に応じて複数の光ビームＢ（図２参照）の照射窓１１ｃが形成されている。
照射窓１１ｃは、ベース部１０内への塵埃等が入り込むのを防止するため、透光性を有する部材で塞いでも良い。
ちなみに、本実施形態での照射窓１１ｃは、周囲側面部に等間隔に４つ形成されている。
また、ケーシング１１の中央には、取付アダプタ（不図示）が係止されるアダプタ取付孔１１ａが形成されている。
【００１８】
また、ケーシング１１の上面には、リング形状のパッキン１１ｂが接着固定されている。このパッキン１１ｂによって、ケーシング１１と天井面Ｃとの間の隙間が密閉されることで、ベース部１０内へ塵埃等が入り込むのを防止できる。
【００１９】
アダプタ受け部１２は、難燃性を有する合成樹脂（例えば、ＰＢＴ：ポリブチレンテレフタレート樹脂）で形成され、ケーシング１１に固定されるリング形状の固定部１２ａと、この固定部１２ａの内周縁部から床側（下方）に延出する円筒部１２ｂと、を有している。円筒部１２ｂには、後記する保安灯カバー１９ａが係止される係止孔１２ｃが形成されている。
【００２０】
電源基板１３は、点灯回路基板等を有し、絶縁板（不図示）を介してケーシング１１に固定されている。なお、絶縁板は、電気絶縁性および難燃性を有する例えばポリプロピレン等の樹脂材料で成形されている。これにより、電源基板１３は、ケーシング１１と後記する放熱板１４とで囲まれた放熱空間内に、電気絶縁性を維持した状態で配置される。
【００２１】
また、電源基板１３は、不図示の電線を介して、取付アダプタ（不図示）と電気的に接続される。これにより、照明装置１は、屋内配線器具（不図示）、取付アダプタ（不図示）、電源基板１３をそれぞれ介して、給電されるようになっている。
【００２２】
放熱板１４は、鋼板を略円形状に加工成形したものであり、例えば亜鉛メッキ鋼板等の熱伝導性の良好な金属を用いて構成されている。また、放熱板１４は、ケーシング１１よりも大径に形成され、ケーシング１１よりも径方向外側に突出するようにしてケーシング１１に取り付けられる。
【００２３】
また、放熱板１４の径方向の中心には、アダプタ受け部１２の円筒部１２ｂと対応する位置に円形の貫通孔１４ａが形成されている。また、放熱板１４の外周縁部には、後記する主照射部用光源基板１５をねじ固定するためのねじ孔１４ｂが周方向に沿って複数個所に形成されている。また、放熱板１４のねじ孔１４ｂの外周側には、後記する受け具３４を掛止させるための引掛孔１４ｃ，１４ｃが複数個所に形成されている。引掛孔１４ｃ，１４ｃは、周方向に１２０°間隔で配置されている。また、放熱板１４には、各引掛孔１４ｃの近傍に、受け具３４を放熱板１４にねじ固定するためのねじ孔１４ｄが形成されている。なお、放熱板１４は、加工成形時に円形状の溝１４ｅ，１４ｆや直線状の溝１４ｇを形成することにより、放熱板１４の強度アップが図られている。
なお、図３には図示されていないが、このような放熱板１４の上面（天井側）に、後記の光ビーム照射部５（図４参照）が配置されている。
【００２４】
主照射部用光源基板１５は、リング形状の配線基板１５ａと、この配線基板１５ａの一面側（床面側）に環状に配置される複数のＬＥＤ素子１５ｂ（発光素子）と、を含んで構成されている。これらのＬＥＤ素子１５ｂ（発光素子）は、図１に示す床面Ｆを照らす主照射部１ａの光源を構成する。
なお、ＬＥＤ素子１５ｂは、例えば、白色系の光束を放射する素子と、暖色系の光束を放射する素子と、で構成され、各素子が周方向に交互に配置されることで構成されている。これにより、電球色、電球色と昼光色の混合色、昼光色の３色の光を放射することができ、さらにＬＥＤ素子１５ｂに調光機構を付加することにより、さらにきめ細かな色の光を放射することが可能になる。
【００２５】
配線基板１５ａは、例えば、アルミニウム合金製の略環状の金属板に絶縁層および銅箔パターン等を形成したり、また熱伝導性の良好な樹脂（例えばポリイミド樹脂等）の平板上に銅箔パターンおよびソルダーレジスト等を形成することで構成されている。
【００２６】
また、配線基板１５ａには、主照射部用光源基板１５を放熱板１４にねじ固定する際にねじ（不図示）が挿通されるねじ挿通孔１５ｃが、周方向に間隔を置いて複数個所に形成されている。
【００２７】
ＬＥＤカバー１６は、主照射部用光源基板１５の全体を覆うことができるように環状に形成されたものである。なお、ＬＥＤカバー１６は、無色透明の合成樹脂（例えば、ＰＥＴ：ポリエチレンテレフタレート樹脂）によってフィルム状に形成されている。これにより、ユーザが照明装置１を設置する際に、ユーザが主照射部用光源基板１５に触れるのを防止することができる。また、ＬＥＤカバー１６は、ねじ挿通孔１５ｃに対応する位置に、ねじ挿通孔１６ａが複数個所に形成されている。
【００２８】
反射シート１７は、ＬＥＤ素子１５ｂから天井側に出射された光を床側に反射させる機能を有し、平面視においてドーナツ状に形成されている。また、反射シート１７は、白色の樹脂シートで構成されている。
【００２９】
遮光部材１８は、ＬＥＤ素子１５ｂの光が導光板３１の内側に漏れるのを抑える機能を有し、例えば、ＡＢＳ（Acrylonitrile Butadiene Styrene）樹脂でリング状に形成されている。また、遮光部材１８は、反射シート１７の外周縁部１７ａを抑えている。
【００３０】
保安灯１９は、暖色系のＬＥＤ素子（不図示）と、このＬＥＤ素子を覆う環状の保安灯カバー１９ａと、を備えている。保安灯カバー１９ａは、反射シート１７の内周縁部１７ｂを抑えている（図３参照）。また、保安灯カバー１９ａの内周縁部には、当該保安灯カバー１９ａを固定部１２ａに掛止させる掛止部１９ｂが形成されている。なお、掛止部１９ｂは、周方向に間隔を置いて複数個所に形成されている。
【００３１】
センタカバー２０は、ベース部１０の中央において露出する取付アダプタ（不図示）を覆うものであり、例えば、難燃性を有する合成樹脂（例えば、ＰＰ：ポリプロピレン樹脂）によって形成されている。また、センタカバー２０は、円板状に形成され、保安灯カバー１９ａに着脱自在に取り付けられている。すなわち、センタカバー２０の外周縁部には、径方向外側に向けて突出する突片２０ａが複数個所に形成され、保安灯カバー１９ａには、突片２０ａが支持される掛止部１９ｂが径方向内側に突出して形成されている。
【００３２】
センサユニット２１は、例えば、照明装置１が設置された環境（空間）の明るさに応じてＬＥＤ素子１５ｂへの供給電力を変化させて、照明装置１下で一定の照度が得られるようにする機能を提供する。また、照明装置１下の照度を検知する。また、センサユニット２１は、ＡＢＳ樹脂やポリプロピレン（polypropylene）樹脂等で成形されたセンサケース２１ａ内にセンサ基板（不図示）が収容されるように構成され、放熱板１４の天井側に取り付けられている。
【００３３】
カバー部材３０は、導光板（導光体）３１、リングカバー３２、導光ピース３３（導光体）を有している。
【００３４】
導光板３１は、複数のＬＥＤ素子１５ｂから発せられた光束を床側へ導く機能と、照明装置１の最も外側（床側）に位置して当該照明装置１のカバーとしての機能と、を有している。また、導光板３１は、例えば、ＰＭＭＡ（ポリメタクリル酸メチル樹脂）からなる透光性および電気絶縁性を有する樹脂を用いて、射出成形等によって一体成形されている。なお、導光板３１の材料は、ＰＭＭＡに限定されるものではなく、透光性および電気絶縁性を備えるものであればよく、ポリスチレン樹脂やポリカーボネート樹脂等他の樹脂であってもよく、また樹脂に限定されるものではなくガラス等であってもよい。
【００３５】
また、導光板３１は、凹面が天井側を向くように皿状に形成されるとともに、導光板３１の外周に、受け具３４に着脱自在に保持されるつば部（鍔部）３１ａが形成されている。このつば部３１ａは、導光板３１の外周縁部の３箇所に形成されている。つば部３１ａとつば部３１ａとの間は、ベース部１０に固定された受け具３４が配置される寸法分離間している。
【００３６】
つば部３１ａには、受け具３４に挿入される先端側に、溝部３１ｂが形成されている。なお、他のつば部３１ａにも、同様にして溝部３１ｂが形成されている。
【００３７】
また、導光板３１の表面の中央には、平面視円形状の凹部３１ｃが形成されている。なお、この凹部３１ｃは、導光板３１を成形する際にゲート跡（樹脂充填跡）が形成される部位であり、射出成形後に残るゲート跡を導光ピース３３で覆い隠すための段差である。
【００３８】
このように、本実施形態の導光板３１は、ベース部１０の全体を覆い、照明装置１の最も外側に位置するものであり、導光板３１の中央部に、照明装置１を天井に取り付ける際に、取付アダプタ（不図示）に取り付けるための孔を備えないものである。
【００３９】
リングカバー３２は、導光板３１のつば部３１ａの上から重ねて配置され、床側からつば部３１ａを視認できなくするものである。例えば、リングカバー３２を遮光性の材料で塗装（例えば、銀色）することで、照明装置１を点灯させたときに、明暗によって視認できなくすることが可能になる。また、リングカバー３２を乳白色にして均一に光らせることで、光を有効利用できるようにしてもよい。
【００４０】
導光ピース３３は、導光板３１と同様の材料で形成され、小径の円板状（コイン状）に形成されている。また、導光ピース３３は、導光板３１に形成された凹部３１ｃに嵌め込まれ、接着剤等で固定されている。また、導光ピース３３は、同心円状に溝３３ａが形成され、外側の導光板３１と同様に光が出射されるようになっている。
【００４１】
受け具３４は、カバー部材３０を着脱自在に保持するものであり、例えば、ＰＯＭ（ポリオキシメチレン）等の合成樹脂によって形成されている。
【００４２】
＜光ビーム照射部＞
次に、光ビーム照射部５について説明する。
図４は、光ビーム照射部５が配設された図３の装置本体部２における放熱板１４の上面図である。
図４に示すように、光ビーム照射部５は、放熱板１４の上面側（図３の天井側）に複数配設されている。
【００４３】
本実施形態では、４つの光ビーム照射部５が配設されている。
光ビーム照射部５は、光源５１と、第１平面鏡５２と、第２平面鏡５３と、投影レンズ（プロジェクションレンズともいう）５５と、可動台５６と、を備えている。なお、可動台５６は、特許請求の範囲にいう「光照射角調節機構」に相当する。
【００４４】
光源５１は、ＬＥＤ素子５１ａと、発光時のＬＥＤ素子５１ａの熱を放散させる放熱部５１ｂと、ＬＥＤ素子５１ａの発光部の直前に配置され、出射される光を収束させる集光レンズ（図示省略）と、を備えて構成されている。
なお、本実施形態でのＬＥＤ素子５１ａは、前記の主照射部用光源基板１５（図３参照）におけるＬＥＤ素子１５ｂ（図３参照）よりも高出力のものが使用される。本実施形態でのＬＥＤ素子５１ａは、暖色系の光束を放射する素子を想定しているが、ＬＥＤ素子１５ｂ（図３参照）の発色に合わせて適宜に選択することができる。また、ＬＥＤ素子５１ａは、後記するように、青色、ＵＶ光を放射するものを使用することもできる。
このＬＥＤ素子５１ａには、電源基板１３（図３参照）から電力が供給され、各ＬＥＤ素子５１ａは、独立してオン／オフが可能となっている。
【００４５】
本実施形態での放熱部５１ｂは、くし型ヒートシンクを想定しているが、ＬＥＤ素子５１ａの放熱を行うことができればこれに限定されない。したがって、後記する可動台５６の材料として良熱伝導材を使用し、ＬＥＤ素子５１ａの熱を可動台５６に逃がす構成とすることもできる。
本実施形態での光源５１は、放熱板１４の中心を基準に、後記する可動台５６の半径方向外側寄りに配置されている。
【００４６】
第１平面鏡５２は、光源５１に近接して配置され、第２平面鏡５３は、後記する可動台５６の半径方向内側寄りに配置されている。そして、第１平面鏡５２は、光源５１から出射された光を第２平面鏡５３に向けて反射し、第２平面鏡５３は、第１平面鏡５２からの反射光を放熱板１４の遠心方向に再び反射する。
【００４７】
投影レンズ５５は、放熱板１４の中心を基準に、後記する可動台５６の半径方向外側寄りに配置され、第２平面鏡５３からの反射光を透過させて前記の集光レンズ（図示省略）と協働して光ビームＢを生起する。
【００４８】
本実施形態での可動台５６は、平面視で扇状形状の４つの板体で形成されている。
各可動台５６は、独立して放熱板１４上を摺動可能に放熱板１４に支持されている。具体的には、可動台５６は、放熱板１４の中心周りに放熱板１４上を周方向にスライド可能に支持されている。
つまり、光源５１、第１平面鏡５２、第２平面鏡５３、及び投影レンズ５５が、可動台５６上で一体となるように形成された各光ビーム照射部５は、独立して放熱板１４の周方向に移動可能となっている。
【００４９】
ちなみに、本実施形態での装置本体部２は、各光ビーム照射部５から照射される各光ビームＢの照射角度が９０度間隔となるホームポジションから可動台５６を移動させることによって、当該照射角度の増減が可能となっている。
なお、本実施形態での可動台５６の移動は、ユーザによる手動にて行うことを想定しているが、アクチュエータを設けることによって可動台５６を電動にて移動させることもできる。
【００５０】
＜副照射部＞
図５は、副照射部３の斜視図であり、天井面Ｃに取り付けられた副照射部３をその斜め下方から見上げた図である。
図５に示すように、副照射部３は、略円筒形状のセード３ａと、セード３ａの周面に形成され、装置本体部２（図１参照）からの光ビームＢ（図１参照）を入射する入射窓３ｂと、セード３ａ内に配置され、入射窓３ｂから入射した光ビームＢ（図１参照）を床面Ｆ（図１参照）側に反射する平面鏡３ｃと、この平面鏡３ｃで反射された光ビームＢを適度に散乱させて照明光Ｌを生成するとともに、この照明光Ｌを床面Ｆ（図１参照）側に向けて導光する導光レンズ３ｄと、を備えている。
【００５１】
このような副照射部３は、天井面Ｃの所定の位置に固定されるが、光ビーム照射部５から照射される光ビームＢの前記の照射角度に応じて副照射部３における光ビームＢの入射位置を変更可能なように、天井面Ｃに対して副照射部３を着脱自在に取り付ける構成とすることもできる。このような着脱自在に副照射部３を天井面Ｃに取り付ける構成としては、例えば、面ファスナー、レール、磁石、係止金具等を介して天井面Ｃに副照射部３を取り付けるものが挙げられる。
【００５２】
また、副照射部３は、光ビームＢの入射角度に合わせて、副照射部３の中心軸周りに回動可能に天井面Ｃに取り付ける構成とすることもできる。
また、副照射部３は、照明光Ｌの照射方向を調節可能なように、自在継手を介して天井面Ｃに取り付ける構成とすることもできる。
【００５３】
また、副照射部３は、導光レンズ３ｄからの反射光、散乱光が天井面Ｃを不要に照らさないように、遮光性のある平板を天井面と略水平方向に複数設けたルーバー（図示省略）を入射窓３ｂに設ける構成とすることもできる。
【００５４】
＜光ビームの導光方法＞
次に、装置本体部２（図１参照）からの光ビームＢ（図１参照）の導光方法について説明する。
図１に戻って、まず、装置本体部２（図１参照）が天井面Ｃの略中央に取り付けられる。この際、装置本体部２の電源基板１３（図３参照）への電力供給経路が確立される。
次に、居室スペース内で照明光Ｌを照射したい所望の位置、例えば、各設置物４ａ，４ｂ，４ｃ，４ｄ近傍の上方で、副照射部３が天井面Ｃに取り付けられる。この際、副照射部３の入射窓３ｂ（図５参照）が装置本体部２の略中央部を向くように、副照射部３は取り付けられる。
【００５５】
装置本体部２では、可動台５６（図４参照）の位置が調節されて光ビーム照射部５（図２参照）による光ビームＢ（図２参照）の照射角度が調節される。つまり、光ビームＢが副照射部３（図５参照）の入射窓３ｂ（図５参照）に入射されるように、光ビームＢの照射角度が調節される。ちなみに、可動台５６（図４参照）の位置の調節は、ユーザの手動による場合には、照射窓１１ｃ（図２参照）を介して行うことができる。また、電動による場合には、前記のアクチュエータに通電することで行うことができる。これにより、光ビームＢは、副照射部３（図５参照）の入射窓３ｂ（図５参照）に入射される。
その結果、光ビームＢは、入射窓３ｂから、平面鏡３ｃ（図５参照）及び導光レンズ３ｄ（図５参照）を通過した後、照明光Ｌ（図１参照）となって設置物４ａ，４ｂ，４ｃ，４ｄ（図１参照）近傍を照らす。
【００５６】
また、装置本体部２からの光ビームＢは、補助平面鏡６（図６及び図７参照）を介して副照射部３に導光することもできる。
図６は、補助平面鏡６を使用した光ビームＢの導光方法の一例を示す説明図である。なお、図６は、天井の上方から天井を透過して（天井を省略して）居室スペースＳを見た様子を示す模式図である。
【００５７】
図６に示すように、居室スペースＳを平面的に見て、装置本体部２は、居室スペースＳの略中央に配置され、四つの副照射部３は、居室スペースＳの対角線上の四方にそれぞれ配置されている。そして、装置本体部２の光ビーム照射部５（図４参照）は、前記のホームポジションの位置、つまり、光ビームＢが９０度間隔で照射される位置に設定されている。
【００５８】
そして、各光ビームＢの光軸上に、この光軸に対して４５度で鏡面が傾斜する補助平面鏡６が配置されている。そして、各光ビームＢの反射光は、四つの副照射部３のそれぞれに向かって照射されている。ちなみに、各副照射部３の入射窓３ｂ（図５参照）は、これらの反射光が入射されるようにその向きが調節されている。
その結果、この光ビームＢの導光方法によれば、光照射角調節機構としての可動台５６（図４参照）を使用しなくても、各副照射部３は照明光Ｌで居室スペースＳを照らすことができる。
なお、この導光方法における装置本体部２及び各副照射部３の位置は、任意であり、補助平面鏡６の位置及びその光ビームＢの反射角度の調節により、装置本体部２及び各副照射部３の配置は、図６に示す態様に限定されないことは言うまでもない。
【００５９】
図７は、補助平面鏡６を使用した光ビームＢの導光方法の他の変形例を示す模式図である。なお、図７は、天井の上方から天井を透過して（天井を省略して）居室スペースＳを見た様子を示す模式図である。
【００６０】
図７に示すように、居室スペースＳには、図７の紙面右下寄りに、３つの設置物４ｅ，４ｆ，４ｇが配置されている。そして、４つの光ビーム照射部５（図４参照）のうち、１つの光ビーム照射部５はオフに設定され、他の３つの光ビーム照射部５はオンに設定されている。そして、４つの副照射部３のうち、１つの副照射部３は省略され、他の３つの副照射部３は、それぞれ設置物４ｅ，４ｆ，４ｇ近傍の上方で天井面（図示省略）に取り付けられている。
【００６１】
装置本体部２の３つの光ビーム照射部５は、前記のホームポジションの位置、つまり、光ビームＢが９０度間隔で照射される位置に設定されている。
そして、各光ビームＢの光軸上に、それぞれ３つの補助平面鏡６が配置されている。各補助平面鏡６は、各副照射部３の入射窓３ｂに向けて反射光が入射されるようにその反射角度が調節されている。
その結果、この光ビームＢの導光方法によれば、光照射角調節機構としての可動台５６（図４参照）を使用しなくても、補助平面鏡６の反射角度を変えることで、設置物４ｅ，４ｆ，４ｇ等の照射位置に関わらずに各副照射部３は所望の位置を照明光Ｌで照らすことができる。
【００６２】
以上のような装置本体部２は、副照射部３によらずとも多灯を実現することができる。
図８は、副照射部３（図１参照）を使用しない、光ビームＢの導光方法を示す居室スペースの模式図である。
図８に示すように、光ビームＢは、水平方向に広角に照射される。ちなみに、この導光方法では、４つの光ビーム照射部５（図４参照）のうち、２つの光ビーム照射部５はオフに設定され、他の２つの光ビーム照射部５はオンに設定されている。
【００６３】
これにより光ビームＢは、この装置本体部２が配置される居室の壁面Ｗに導光されてその被照射部３´自体が散乱光を生成して二次的に二つの光源を形成する。その結果、この照明装置１は、複数の光ビームＢ（図８では２つの光ビームＢ）を照射することで多灯を実現する。なお、この導光方法に使用される光ビーム照射部５（図４参照）は、広角の投影レンズ５５（図４参照）が使用される。また、投影レンズ５５の近傍に、天井面Ｃと平行な方向に光を広く拡散し、天井面Ｃと垂直な方向には光をほぼ拡散しない、異方向性を有する拡散板を配置する構成とすることもできる。
【００６４】
図９は、副照射部３（図１参照）を使用しない光ビームＢの他の導光方法を示す説明図である。なお、図９は、天井の上方から天井を透過して（天井を省略して）居室スペースＳを見た様子を示す模式図である。
図９に示すように、この導光方法では、４つの光ビームＢが装置本体部２から照射され、各光ビームＢは、９０度の広角になっている。つまり、この導光方法によれば、居室スペースＳの四方の壁面Ｗに二次的に４つの光源が形成されて多灯を実現する。図９中、符号７は、光ビームＢの光軸である。
【００６５】
本発明の実施形態に係る照明装置１の作用効果について説明する。
本実施形態に係る照明装置１では、複数の光ビーム照射部５のそれぞれが天井面Ｃに沿う方向に光ビームＢを照射する。この光ビームＢは、この照明装置１が配置される居室の壁面Ｗに照射されてその被照射部自体が散乱光を生成して二次的な光源となる。その結果、この照明装置１は、複数の光ビームＢを照射することで多灯を実現する。
【００６６】
また、この照明装置１によれば、複数の光ビーム照射部５が装置本体部２に纏まって配置されるので、複数の光ビーム照射部５の各ＬＥＤ素子５１ａに電力を供給するための配線工事が一つの装置本体部２の配線工事のみで済む。
【００６７】
また、このような照明装置１においては、複数の副照射部３を備えるので、床面Ｆに対してダウンライトを生成するように多灯を実現する。
【００６８】
また、このような照明装置１においては、装置本体部２は、光ビームＢの照射角度を調節する可動台５６（光照射角調節機構）を備えるので、光ビームＢの照射方向の変更が可能となる。これにより副照射部３の位置設定の自由度が増す。その結果、多灯化の態様が一段と増加する。
【００６９】
また、このような照明装置１においては、補助平面鏡６を使用することによって、より一層光ビームＢの照射方向の変更が可能となる。
【００７０】
以上、本発明の実施形態について説明したが、本発明は前記実施形態に限定されず、種々の他の形態で実施することができる。
前記実施形態では、光ビーム照射部５の光照射角調節機構として可動台５６を有するものについて説明したが（図４参照）、光照射角調節機構は、次に説明するように、反射角度が可変の平面鏡を有する構成とすることもできる。
【００７１】
＜光ビーム照射部の第１変形例＞
図１０は、光ビーム照射部５の第１変形例を示す斜視図であり、放熱板１４の上面を示す図である。
図１０に示すように、４つの光ビーム照射部５を備えている。この光ビーム照射部５は、光源５１が放熱板１４半径方向内側寄りに配置されている。また、第１平面鏡５２と第２平面鏡５３とは、放熱板１４の半径方向外側寄りに配置され、投影レンズ５５は、第１平面鏡５２と第２平面鏡５３との間に配置されている。
【００７２】
この光ビーム照射部５は、光源５１から照射された光が第１平面鏡５２を反射してその反射光が第２平面鏡５３に至る間で投影レンズ５５を通過して光ビームＢを形成する。
そして、第２平面鏡５３は、軸Ａｘ回りに回動することで投影レンズ５５からの光ビームＢの反射角度が可変となっている。
このような図１０に示す第１変形例においては、第２平面鏡５３が特許請求の範囲にいう「光照射角調節機構」に相当する。
【００７３】
この第１変形例によれば、可動台５６（図４参照）を移動させる前記実施形態と比べて、可動部分が少なく、消費エネルギが少なく、高精度でかつ優れた応答性で光ビームＢの照射角度を設定することができる。
また、この第１変形例では、光源５１が放熱板１４の半径方向内側寄りに配置されているが、図１０中、符号５１´で示すように、第１平面鏡５２とは反対側の放熱板１４の半径方向外側寄りに光源を配置することもできる。これにより第１平面鏡５２と光源５１´の光路長を長く設定することができる。
【００７４】
＜光ビーム照射部の第２変形例＞
【００７５】
図１１は、光ビーム照射部５（図４参照）の第２変形例を示す放熱板１４の上面図である。なお、図１１中、４つの光ビーム照射部５のうち１つの光ビーム照射部５のみ記載し、他の３つの光ビーム照射部５は、作図の便宜上省略している。
図１１中、符号５１は、光源であり、符号５２は、第１平面鏡であり、符号５３は、第２平面鏡であり、符号５４は、第３平面鏡であり、符号５５は、投影レンズである。
【００７６】
この第２変形例では、投影レンズ５５を通過して生成される光ビームＢの光軸７が放熱板１４の遠心方向と一致するように設定している。
具体的には、光源５１が放熱板１４半径方向内側寄りに配置され、第１平面鏡５２が光源５１の放熱板１４半径方向内側に配置され、第２平面鏡５３が投影レンズ５５の放熱板１４半径方向内側に配置されている。そして、第１平面鏡５２及び第２平面鏡５３の反射角度が調節されて、第２平面鏡５３の反射光が投影レンズ５５を通過するように設定されている。
【００７７】
そして、第３平面鏡５４は、軸Ａｘ回りに回動することで投影レンズ５５からの光ビームＢの反射角度が可変となっている。このような図１１に示す第２変形例においては、第３平面鏡５４が特許請求の範囲にいう「光照射角調節機構」に相当する。
この光ビーム照射部５によれば、投影レンズ５５から遠心方向に照射される光ビームＢをこの遠心方向に直交する方向に近接するように照射することができる。
【００７８】
＜光ビーム照射部の第３変形例＞
図１２（ａ）は、光ビーム照射部５の第３変形例を示す装置本体部２の斜視図であり、図１２（ｂ）は、一の光ビーム照射部５をその側面から見た様子を示す構成説明図である。
【００７９】
図１２（ａ）に示すように、この装置本体部２では、光ビーム照射部５が、投影レンズ５５から上方に向けて光ビームＢを照射し、この光ビームＢを第３平面鏡５４が水平方向に反射する構成となっている。
【００８０】
図１２（ｂ）に示すように、この光ビーム照射部５では、光源５１が放熱板１４半径方向外側に配置され、第１平面鏡５２が放熱板１４半径方向内側に配置され、第２平面鏡５３が放熱板１４半径方向外側に配置されている。そして、第１平面鏡５２で反射された反射光は、第２平面鏡５３で上方に向けて反射されるようになっている。
また、第２平面鏡５３の上方には、投影レンズ５５及び第３平面鏡５４が配置されている。この第３平面鏡５４は、軸Ａｘ周りに回動可能となっている。
【００８１】
これにより第２平面鏡５３からの反射光は、投影レンズ５５を通過して光ビームＢとなって、第３平面鏡５４によって水平方向に照射される。そして、第３平面鏡５４は、軸Ａｘ周りに回動することによって、光ビームＢの照射角度を可変にしている。
このような図１２（ａ）及び（ｂ）に示す第３変形例においては、第３平面鏡５４が特許請求の範囲にいう「光照射角調節機構」に相当する。
【００８２】
この光ビーム照射部５によれば、第２平面鏡５３によって、光源５１からの光路が水平方向から垂直方向に変化するので、放熱板１４上における光源５１、第１平面鏡５２、第２平面鏡５３、投影レンズ５５、及び第３平面鏡５４の各配置の自由度が広がる。つまり、放熱板１４とケーシング１１との間の空間を効率よく利用することができる。
【００８３】
＜その他＞
前記実施形態では、ＬＥＤ素子５１ａ（図４参照）は、前記のように青色ＬＥＤ素子、ＵＶ発光ＬＥＤ素子を使用することもできる。このようなＬＥＤ素子５１ａから出力される光ビームＢ（図１参照）は、装置本体部２（図１参照）から副照射部３（図１参照）まで導光される際に、居室スペースに浮遊する微粒子（塵、タバコの煙等）を目立たせない利点がある。なお、このような青色ＬＥＤ素子、ＵＶ発光ＬＥＤ素子等から出力される光ビームＢを入射する副照射部３では、蛍光発色、発色調整等を行うフィルタを介在させることが望ましい。
【符号の説明】
【００８４】
１      照明装置
１ａ    主照射部
２      装置本体部
３      副照射部
３ａ    セード
３ｂ    入射窓
３ｃ    平面鏡
３ｄ    導光レンズ
５      光ビーム照射部
６      補助平面鏡
１１ｃ  照射窓
１３    電源基板
１４    放熱板
５１    光源
５１ａ  ＬＥＤ素子
５１ｂ  放熱部
５２    第１平面鏡
５３    第２平面鏡
５４    第３平面鏡
５５    投影レンズ
５６    可動台（光照射角調節機構）
Ｃ      天井面
Ｂ      光ビーム
Ｆ      床面
Ｌ      照明光
Ｓ      居室スペース
Ｗ      壁面
【図１】
2015207384.tif 000003
【図２】
2015207384.tif 000004
【図３】
2015207384.tif 000005
【図４】
2015207384.tif 000006
【図５】
2015207384.tif 000007
【図６】
2015207384.tif 000008
【図７】
2015207384.tif 000009
【図８】
2015207384.tif 000010
【図９】
2015207384.tif 000011
【図１０】
2015207384.tif 000012
【図１１】
2015207384.tif 000013
【図１２】
2015207384.tif 000014